(57)【要約】【課題】  収納装置内にスライド収納したモジュールユニットを取り外す際に、落下させることなく、安全に引き出すことができるようにしたデバイス支持フレームを提供すること。【解決手段】  デバイス支持フレーム３１を、モジュールデバイス２５を指示する支持部３４と、把持開口部３６を備えるユニット把持部３５を設けて、モジュールユニット３０を確実に保持することができるようにした。モジュールユニット３０を引き出す際には、ユニット把持部３５を、前面板を前方に屈曲させた後下方に折り曲げた構造として、片手で確実に掴むことができる横幅及び高さをようにした。また、把持開口部３６に指を入れて掴むことができるので、ユニット把持部３５をしっかりと掴むことができ、モジュールユニット３０が落下しないように確実に保持することができる。【選択図】  図１
2006236522.tif 000002
【特許請求の範囲】
【請求項１】
モジュールデバイスを収納装置内に挿入して支持固定するためのデバイス支持フレームであって、
前記モジュールデバイスを載置する支持部と、
前記支持部に設けられ、前記収納装置の収納開口部から収納位置までの間を、前記収納装置に設けられたガイドレールに沿って摺動する摺動部と、
前記支持部の前面に設けられ、前記モジュールデバイスの前面をカバーする前面板を前方に屈曲し、さらに下方に所定の長さ折り返したユニット把持部と、
を備えることを特徴とするデバイス支持フレーム。
【請求項２】
さらに、前記支持部の後端に、下方に僅かに突出させた停止部を設けたことを特徴とする請求項１に記載のデバイス支持フレーム。
【請求項３】
さらに、前記支持部の後端に、下方に僅かに突出する突出部を設け、前記ガイドレールの前記収納開口部の近くに設けられた小さな窪みを通過したときに微振動を発生させることを特徴とする請求項１に記載のデバイス支持フレーム。
【請求項４】
前記ユニット把持部は、中央部に把持開口部を備えることを特徴とする請求項１から３のいずれか１項に記載のデバイス支持フレーム。
【請求項５】
前記支持部、前記摺動部、及び前記ユニット把持部が一枚の薄板をプレス加工することにより一体的に形成されていることを特徴とする請求項１から４のいずれか１項に記載のデバイス支持フレーム。
【発明の詳細な説明】
【技術分野】
【０００１】
本発明は、ハードディスク装置、ＤＶＤ、ＣＤ−ＲＷ等の独立モジュール構造のデバイスを収納装置内に収納し、または収納装置から取り出すための収納具に関し、特にモジュールデバイスを載置固定して収納装置に着脱するためのデバイス支持フレームに関する。
【背景技術】
【０００２】
自動預金支払機（ＡＴＭ）、サーバ装置、パーソナルコンピュータ、ＰＯＳ端末機等の各種データ処理装置の多くが、内部にハードディスク装置、ＤＶＤ等のユニット装置を搭載している。これらのユニット装置は、独立した機能を有する独立モジュール構造となっており、データ処理装置等の内部に収納固定され、電気コネクタを介して電気的に接続される。データ処理装置等に搭載されるこれらの独立モジュール型のデバイスは、収納装置に装着または収納装置から取り出すためのデバイス支持フレームに載置固定される。本明細書では、ハードディスク装置等の独立モジュール構造のデバイスを、「モジュールデバイス」と称し、デバイス支持フレームにモジュールデバイスを載置固定したものを「モジュールユニット」と称する。また、モジュールユニットを搭載するＰＯＳ端末機等のデータ処理装置を「収納装置」と称する。
【０００３】
モジュールユニットの収納には、収納装置の周囲のカバー、部品等を外してから、所定の取り付け位置にモジュールユニットを配置してねじ等により固定するもの、収納装置の収納部入口に設けられた所定の収納開口部からモジュールユニットを収納部までスライド挿入して固定するもの等がある。例えば、従来技術によるハードディスク取付装置として、収納ケース内側にガイドレールを多段に設けて、ハードディスク装置を収納ケース前面開口部から着脱するものがある（特許文献１参照）。本発明は、このようなモジュールユニットを収納開口部から収納部までスライド挿入する収納方式に関するものであり、特にモジュールデバイスをスライド収納又は取り出すために、モジュールデバイスを載置固定するデバイス支持フレームに関するものである。
【０００４】
図７は、モジュールユニット２０及び、モジュールユニット２０をスライド収納するデータ処理装置１０（収納装置１０）の他の従来技術を示す背面斜視図である。図７に示す従来技術では、データ処理装置１０の背面カバーを外し、背面からモジュールユニット２０をデータ処理装置１０内にスライド挿入する。デバイス支持フレーム２１にモジュールデバイス２５が載置固定されることにより、両者が一体となり、収納装置１０に着脱されるモジュールユニット２０を構成する。図７では、収納装置１０の収納開口部１３及びモジュールユニット２０のデバイス支持フレーム２１の構造を分かり易く示すために、収納装置１０の外側カバーを取り外した状態を、背面左下方向から見た斜視図として示している。モジュールユニット２０は収納装置１０の収納開口部１３から挿入され、収納部１２内に収納される。
【０００５】
図８は、データ処理装置１０にモジュールユニット２０の先端だけを挿入した状態（このままＸ１方向に挿入して収納する）、または収納装置１０からモジュールユニット２０を取り出す直前の状態（このままＸ２方向に引き出して取り出す）を示す右側面図である。モジュールユニット２０は図８の左側から挿入される。収納開口部１３（図７）から挿入されたモジュールユニット２０は、収納装置１０の装置枠体１１に固定されたガイドレール１４（図８）に沿って、そのまま右方向（Ｘ１方向）に挿入されて収納位置まで案内される。モジュールユニット２０のデバイス支持フレーム２１の両側面部には摺動部２２が設けられている。摺動部２２がガイドレール１４上を摺動することにより、モジュールユニット２０は収納装置１０内を収納位置まで移動する。モジュールユニット２０が収納位置まで移動することにより、モジュールユニット２０に設けられたモジュールコネクタ２７（図８）が収納部１２の奥に設けられている装置コネクタ１５に装着され、電気的な接続が確保される。
【０００６】
モジュールユニット２０は、電気コネクタ２７、１５が接続された状態で収納位置にねじ５０により固定穴２６を介して装置枠体１１のねじ穴１７に固定される（図７）。これにより、モジュールユニット２０は、収納位置に固定維持される。交換又は修理等の目的でモジュールユニット２０を収納部１２から取り出すときには、ねじ５０を取り外した後、引き手部２４に指をかけてモジュールユニット２０を図８の左方向に引き出すことにより、モジュールユニット２０を収納開口部１３から引き抜いて取り出す。
【特許文献１】特開平６−３０９８５９号公報
【発明の開示】
【発明が解決しようとする課題】
【０００７】
しかし、特許文献１及び図８に記載の従来技術では、例えば、モジュールユニット２０を図８の位置まで引き出した後、さらにそのまま左側に引き出すと、図８に矢印Ｙとして示すように、モジュールユニット２０の奥（図８では右端）が落下してしまう。ハードディスク装置等からなるモジュールユニット２０は比較的重いため、このような状態でモジュールユニット２０の奥（右端）が落下すると、引き手部２４だけでモジュールユニット２０を保持することができず、モジュールユニット２０が床に落ちて破損するおそれがあった。
【０００８】
本発明はかかる従来技術の問題に鑑みてなされたものであり、簡単な構造で、モジュールユニットを取り外す際にモジュールユニットの落下を防止可能なデバイス支持フレームを提供することを目的とする。
【課題を解決するための手段】
【０００９】
本発明は、モジュールユニットを載置固定するデバイス支持フレームの前面に設けた前面板を上部から前面方向に屈曲させた後下方に折り返して片手で掴み保持することができる長さと幅を有するユニット把持部を設けることにより、上記課題を解決する。これにより、下方に屈曲したユニット保持部をしっかり掴んで引き出すことができ、モジュールユニットの落を防止することが可能となる。
【００１０】
本発明の第１の態様にかかるデバイス支持フレームは、モジュールデバイスを収納装置内に挿入して支持固定するためのデバイス支持フレームであって、モジュールデバイスを載置する支持部と、支持部に設けられ、収納装置の収納開口部から収納位置までの間を、収納装置に設けられたガイドレールに沿って摺動する摺動部と、支持部の前面に設けられ、モジュールデバイスの前面をカバーする前面板を前方に屈曲し、さらに下方に所定の長さ折り返したユニット把持部とを備えることを特徴とする。
【００１１】
この態様は、デバイス支持フレームの前面に設けられた下方に伸びるユニット把持部の長さと幅を、親指と他の指で確実に掴むことができる幅と長さとなるように形成するものである。これにより、モジュールユニットを引き出す際に、片手でユニット把持部をしっかり掴むことが可能となり、モジュールユニットの落下を防止することができる。ユニット把持部は、支持部と一体的な構造であっても、別部材として構成したユニット把持部を支持部に固定しても良い。
【００１２】
本発明の他の態様にかかるデバイス支持フレームは、さらに、支持部の後端に、下方に僅かに突出させたと停止部を設けたことを特徴とする。この態様は、さらに、デバイス支持フレームの後端に停止部を設け、モジュールユニットを引き出す際に該停止部が装置枠体にかかり、後端部の落下を防止する。停止したモジュールユニットは、後端を僅かに持ち上げることにより収納装置から取り出すことができる。
【００１３】
本発明の他の態様にかかるデバイス支持フレームは、さらに、支持部の後端に、下方に僅かに突出する突起部を設け、ガイドレールの収納開口部の近くに設けられた小さな窪みを通過したときに微振動を発生させることを特徴とする。この態様は、デバイス支持フレームの後端に小さな突起部を設け、該突起部がガイドレール上の収納開口部近くに設けられた浅い窪みに落ちることにより微振動を発生させるものである。これにより、モジュールユニットの後端が収納開口部近くまで引き出されたことを感知することが可能となり、慎重な引き出し動作を促すことが可能となる。
【００１４】
本発明の他の態様にかかるデバイス支持フレームは、ユニット把持部が、中央部に把持開口部を備えることを特徴とする。この態様は、ユニット把持部の中央部分に、複数の指を挿入可能な大きさと幅の把持開口部を設けたものである。これにより、該把持開口部に指を挿入することにより、親指とその他の指とにより下方に伸びるデバイス把持部を挟み込むように掴むことが可能となり、より確実にモジュールユニットを把持することが可能となる。
【００１５】
本発明の他の態様にかかるデバイス支持フレームは、支持部、摺動部、及びユニット把持部が一枚の薄板をプレス加工することにより一体的に形成されていることを特徴とする。この態様では、支持部、摺動部、ユニット把持部が一体的に形成されている。例えば、ユニット把持部は、支持部の前端を所定の高さまで上方に立ち上げてから前方に屈曲し、下方に折り曲げることにより形成可能である。摺動部、停止部も、左右端または後端を下方に屈曲することにより形成できる。この態様により、部品点数が少なく、強固で、製造容易なユニット支持フレームを提供可能となる。
【発明の効果】
【００１６】
本発明によると、デバイス支持フレームに、片手で掴むことができる長さと幅を有するユニット把持部を設けることにより、モジュールを引き出す際に、モジュールユニットを落下させないようにしっかりと把持することを可能とした。特に、本発明の一実施形態によると、モジュール保持部の中央に把持開口部を備えている。これにより、把持開口部に複数の指を挿入してモジュール把持部を親指と他の指とで包み込むように把持することができ、モジュールユニットを確実に保持することが可能となる。
【発明を実施するための最良の形態】
【００１７】
図面を用いて本発明の最良の実施形態を説明する。図１は本発明の一実施形態にかかるデバイス支持フレーム３１上にモジュールデバイス２５を固定したモジュールユニット３０の斜視図であり、図２は、デバイス支持フレーム３１の底部を示すために、図１に示すモジュールユニット３０を背面左下方向からみた斜視図である。図３は、モジュールユニット３０を装置１０内の収納位置まで挿入した状態を示す模式図である。
【００１８】
デバイス支持フレーム３１は、水平に伸びておりモジュールデバイス２５を載置固定する支持部３４と、該支持部３４の前面に設けられるユニット把持部３５と、該支持部３４の両側面から下方に突出する摺動部３２を備えている。支持部３４の前面がモジュールデバイス２５とほぼ同じ高さまで上方に立ち上げられた後、前方水平方向に少し屈曲された後さらに下方に折り曲げられることにより、ユニット把持部３５が形成されている。また、上方に立ち上げられた前面板の中央部分は、前方水平方向に屈曲されることなく上方に伸びており、固定板３７となる。これにより、ユニット把持部３５の中央部に把持開口部３６が形成される。
【００１９】
摺動部３２の摺動面４０（図２参照）には、摺動隆起部３３が設けられており、固定板３７には、ねじ５０により、モジュールユニット３０を装置枠体１１に固定するための固定溝３８が形成されている（図１参照）。モジュールユニット３０はその左右端が、摺動隆起部３３を支点にして、シーソー状に上下動可能である（図３の左右に上下方向の円弧状の矢印として示している）。このようにモジュールユニット３０が上下方向に揺動可能であるため、ねじ穴ではなく固定溝３８を設けて、固定位置に上下方向の自由度を持たせている。
【００２０】
モジュールユニット３０の後端にはモジュールコネクタ２７が設けられている。モジュールコネクタ２７は、モジュールユニット３０が収納位置まで挿入されたときに、装置枠体１１に固定されている装置コネクタ１５と接続される（図３）。モジュールコネクタ２７及び装置コネクタ１５（以下必要に応じて単に「電気コネクタ２７、１５」と称する）の位置は製造誤差のため僅かなずれがある。そのため、モジュールユニット３０を図３の収納位置にスライド移動させる際に、モジュールコネクタ２７及び装置コネクタ１５の位置ずれを調整するための位置合わせが行われる。
【００２１】
電気コネクタ２７，１５の位置合わせは、デバイス支持フレーム３１の摺動部３２の摺動面上に設けられた摺動隆起部３３を支点にしたシーソー状の上下動により行われる。モジュールユニット３０を、２つの電気コネクタ２７、１５が対向する位置までスライド挿入させた後に、摺動部２２に設けられた摺動隆起部３３を支点にして、僅かに上下動させることにより位置合わせを行いつつ、モジュールユニット３０をさらに収納位置まで挿入する。これにより、２つの電気コネクタ２７、１５が互いに嵌合して接続される。このようにモジュールユニットの挿入時の角度調整により、電気コネクタ２７と１５の位置合わせが行われるので、電気コネクタ２７、１５にモジュールユニット３０の重量による負荷（ストレス）がかからず、電気コネクタの破損や接触不良を防止することができる。
【００２２】
デバイス支持フレーム３１の底面には第１の係合部４１が設けられている。モジュールユニット３０が収納位置まで移動すると、モジュールコネクタ２７と装置コネクタ１５が接続される他、デバイス支持フレーム３１に設けられた第１の係合部４１と装置枠体１１に設けられた第２の係合部１６とが係合する（図３参照）。第１の係合部４１または第２の係合部１６は弾性部材からなり、第１及び第２の係合部１６と４１とが係合したときに、互いにに引き寄せるような弾性力が付与される。これにより、モジュールユニット３０は、第１の係合部４１または第２の係合部１６の弾性力により装置枠体１１に密着することになり、データ処理装置１０全体が上下振動してもモジュールユニット３０がガイドレール１４から浮き上がることを防止することができ、電気コネクタ２７、１５に上下動に伴うストレスがかかることを防止することができる。
【００２３】
尚、第１の係合部４１及び第２の係合部１６は、モジュールユニット３０のシーソー状の回動運動の回動支軸となる軸線上において互いに係合するような構成とすることが望ましい。すなわち、図３に示すように、摺動隆起部３３の位置と第１係合部４１及び第２係合部１６の係合位置とが、横方向からみてほぼ同じ位置となることが望ましい。摺動隆起部３３の位置と第１及び第２の係合部の係合位置がずれると、第１の係合部４１または第２の係合部１６の弾性力が、摺動隆起部３３を支点としてモジュールユニット３０を回転させる回転力として作用する。そのため、弾性力による回転力が、電気コネクタ２７、１５に負荷（ストレス）として加わることになる。これに対し、摺動隆起部３３の位置と第１及び第２の係合部４１、１６の係合位置を回動軸上に整列させることにより、弾性力による回転力は生じることなく、係合部材による弾性力はすべて摺動隆起部３３とガイドレール１４に対して付与されることになる。このように、第１、第２の係合部材の係合位置と摺動隆起部３３の位置とを整合させることにより、弾性力によるストレスが電気コネクタ２７、１５に加わることを防止することができる。
【００２４】
収納位置まで挿入されたモジュールユニット３０は、電気コネクタ２７，１５にストレスのかからない適切な角度を維持した状態で、固定板３７がねじ５０により装置枠体１１に固定される。交換、修理等の目的で、モジュールユニット３０を取り外す場合には、ねじ５０を取り外し、モジュール把持部３５を掴んでモジュールユニット３０を収納開口部１３から引き出す。
【００２５】
図４は、図１に示すモジュールユニット３０を引き出し、収納装置１０から引き抜く直前の状態を示す側面図である。モジュールユニット３０を引き出す際には、図の右側に矢印Ａ及びＢとして示すように、モジュール把持部３５の把持開口部３６に、下方または上方から指を挿入してモジュール把持部３５をしっかり掴むことが可能である。モジュール把持部３５をしっかり把持した状態でモジュールユニット３０を矢印Ｘ２方向に引き出すことにより、モジュールユニット３０の後端部３９が収納開口部１３からすべて引き出されると、モジュールユニット３０の後端部３９は矢印Ｙ方向に落ちる。しかし、モジュール把持部３５はしっかり把持されているので、モジュールユニット３０は床に落ちることなく保持される。このように、モジュール把持部３５を強い力で確実に掴むことができるような構造とすることにより、モジュールユニット３０の落下を防止することが可能となる。
【００２６】
図５、図６に、第２の実施形態にかかるデバイス支持フレーム４３を用いたモジュールユニット４２を示す。図１から図４では、モジュール把持部３５に把持開口部３６を設けた例を示したが、ユニット把持部３５に把持開口部３６を設けなくとも、モジュール把持部を下方に十分伸ばすことにより、モジュール把持部を確実に掴むことが可能となる。この場合、ユニット把持部４４の下方の先端を前方に少し曲げて持ち易くすることが好ましい。図５は、本発明の第２の実施形態にかかるデバイス支持フレーム４３を用いたモジュールユニット４２を取り出す状態を示す側面図であり、図６は、第２の実施形態にかかるデバイス支持フレーム４３を用いたモジュールユニット４２の背面斜視図である。第２の実施形態では、さらに、デバイス支持フレーム４３の後端部に下方に僅かに突出する停止部４５を設けている。このような停止部４５を設けることにより、より安全にモジュールユニット４２を取り出すことが可能となる。モジュールユニット４２が最大限引き出されると、停止部４５が、装置枠体１１にかかり、モジュールユニット４２の引き出しが停止される。さらに引きだすためには、後端を僅かに持ち上げてからモジュールユニット４２を取り出すことになるので、落下を確実に防止することが可能となる。
【００２７】
なお、図５、図６に示すような停止部４５を設けることは、図１から図４に示すユニット把持部３５のような、把持開口部３６を備える場合にも、より確実にモジュールユニットの落下を防止することができるという点で有用である。
【００２８】
また、他の実施形態として、停止部４５の代わりに、モジュールユニットの後端に僅かな突起を摺動部後端近くに設け、この突起に対応する僅かな窪みを、ガイドレール１４の摺動面上の収納開口部１３の近くに設けることにより、突起が窪みに落ちたときに軽い振動を生じるようにすることも可能である（図示せず）。このような構成により、モジュールユニットが終端近くまで引き出さされたことを振動により感知することが可能となり、振動を感知した後は落下を防止するように慎重に引き出すことを促すことができる。
【００２９】
以上説明したデバイス支持フレーム３１，４３等は、金属、プラスチック等の材料を用いて製造することが可能である。特に、金属材料を用いる場合、一枚の金属板からプレス加工により簡単に製造することができる。例えば、デバイス支持フレーム３１，４２の前面に相当するユニット把持部３５、４４は、支持部３４の前端を上方に立ち上げ、固定板３７を残して前方に屈曲させた後、下方に折り曲げることにより形成することができる。把持開口部３６も、上方に立ち上げた前面板の中央部に所定の高さ及び幅の切込みを入れ、該切り込み部分を残して該前面板を屈曲し前方に突出させてから下方に折り返しすことにより形成することができる。また停止部４４も、他端を下方に僅かに曲げるだけでよい。第１の係合部４１は、所定の形に切り込みを入れて屈曲させることにより形成することが可能である。このように、一枚の金属板に切り込みをいれ、プレス加工により屈曲させることにより、簡単に製造することが可能である。このように各部を一体的に形成することにより、簡単な構造で強固なデバイス支持フレームとすることができる。また、特別な部品もいらず、製造工程も簡単であるので、製造コストを抑制することができる。
【００３０】
さらに、デバイス支持フレーム３１、４３及び装置枠体１１を金属材料で形成し、第１の係合部及び第２の係合部の接触により、モジュールデバイス２５と収納装置１０とのアース接続を行い、モジュールデバイスを静電気から保護するように構成することが望ましい。
【図面の簡単な説明】
【００３１】
【図１】本発明の１実施形態にかかるデバイス支持フレーム３１上にモジュールデバイス２５を固定したモジュールユニット３０の斜視図である。
【図２】デバイス支持フレーム３１の底部を示すために、図１に示すモジュールユニット３０を背面左下方向からみた底面斜視図である。
【図３】モジュールユニット３０を装置１０内に挿入した状態を示す模式図である。
【図４】図１に示すモジュールユニット３０を引き出す状態を示す側面図である。
【図５】本発明の第２の実施形態にかかるデバイス支持フレーム４２を用いたモジュールユニットを取り出す状態を示す側面図である
【図６】図５に示すデバイス支持フレームを用いたモジュールユニットの背面斜視図である。
【図７】モジュールユニット及び、モジュールユニットをスライド収納するデータ処理装置（収納装置）の従来例を示す背面斜視図である。
【図８】データ処理装置１０にモジュールユニット２０の先端を挿入した直後の状態（Ｘ１方向に挿入）、または収納装置１０からモジュールユニット２０を取り出す直前の状態（Ｘ２方向に引き出す）を示す右側面図である。
【符号の説明】
【００３２】
１０  データ処理装置（収納装置）            １１  装置枠体
１２  収納部                                １３  収納開口部
１４  ガイドレール                          １５  装置コネクタ
１６  第２係合部                            ２０  従来のモジュールユニット
２１  従来のデバイス支持フレーム            ２２、３２  摺動部
２４  引き手部                              ２５  モジュールデバイス
２６  固定穴                                ２７  モジュールコネクタ
３０、４２  本発明に係るモジュールユニット
３１、４３  本発明に係るデバイス支持フレーム
３３  摺動隆起部                            ３４  支持部
３５、４４  ユニット把持部                  ３６  把持開口部
３７  固定板                                ３８  固定溝
３９  モジュールユニット後端部              ４０  摺動面
４１  第１の係合部                          ４５  停止部
【図１】
2006236522.tif 000003
【図２】
2006236522.tif 000004
【図３】
2006236522.tif 000005
【図４】
2006236522.tif 000006
【図５】
2006236522.tif 000007
【図６】
2006236522.tif 000008
【図７】
2006236522.tif 000009
【図８】
2006236522.tif 000010